(57)【特許請求の範囲】
【請求項１】
太陽エネルギー利用装置の架台用桟部材の支持構造であって、
前記架台用桟部材は、長尺部材の部材にて構成され、
前記架台用桟部材の側面には、長手方向に連続する溝部が形成され、
前記溝部には、前記架台用桟部材を支持する支持部材に対して止め付けるための固定部材が設けられ、
前記支持部材は、
前記架台用桟部材の側面部に対向する支持部と、
前記支持部に設けられる貫通孔部であって、
前記架台用桟部材側に設けられる固定部材を止め付けるための貫通孔部と、
前記支持部に設けられる切欠部であって、
前記支持部の外側から前記貫通孔部内へと通じる切欠部と、
を有し、
前記切欠部は、前記架台用桟部材の長手方向に形設され、前記溝部と対向するように形成されており、
前記固定部材が、
前記切欠部を通じることにより、前記貫通孔部内へと挿入される、
太陽エネルギー利用装置の架台用桟部材の支持構造。
【請求項２】
請求項１に記載の架台用桟部材の支持構造用の支持部材。
【請求項３】
太陽エネルギー利用装置の架台用桟部材の設置方法であって、
前記架台用桟部材は、長尺部材の部材にて構成され、
前記架台用桟部材の側面には、長手方向に連続する溝部が形成され、
前記溝部には、前記架台用桟部材を支持する支持部材に対して止め付けるための固定部材が設けられ、
前記支持部材は、
前記架台用桟部材の側面部に対向する支持部と、
前記支持部に設けられる貫通孔部であって、
前記架台用桟部材側に設けられる固定部材を止め付けるための貫通孔部と、
前記支持部に設けられる切欠部であって、
前記支持部の外側から前記貫通孔部内へと通じる切欠部と、
を有し、
前記切欠部は、前記架台用桟部材の長手方向に形設され、前記溝部と対向するように形成されており、
前記固定部材を、前記架台用桟部材に対し仮固定する工程と、
前記仮固定した前記固定部材を緩める工程と、
緩めた前記固定部材を前記切欠部を通じて、前記貫通孔部内へと挿入する工程と、
前記貫通孔部内に挿入された前記固定部材により前記架台用桟部材を前記支持部材に対し止め付ける工程と、
を有する、太陽エネルギー利用装置の架台用桟部材の設置方法。
【請求項４】
請求項３に記載の太陽エネルギー利用装置の架台用桟部材の設置方法に用いる支持部材。
【発明の詳細な説明】
【技術分野】
【０００１】
本発明は、建物の屋根などに設置される太陽電池パネルなどの太陽エネルギー利用装置に関するものであり、より詳しくは、これら太陽エネルギー利用装置を屋根などに設置するための架台を構成する桟部材を支持するための技術に関するものである。
【背景技術】
【０００２】
従来、建物の屋根などに設置される太陽電池パネルなどの太陽エネルギー利用装置において、屋根の上に支持部材を設置し、この支持部材にて桟部材を支持し、桟部材の上に太陽電池パネルなどを並べて配置する構成が知られており、関連する技術について開示する文献も存在する（例えば、特許文献１参照。）。
【０００３】
特許文献１に開示される技術は、支持部材を屋根の傾斜方向に複数箇所に設置するとともに、複数の支持部材にて長尺の桟部材を支持する構成とするものである。桟部材には、溝部（第一保持部）が形設され、この溝部に六角ナット（第一締結部材）が回転不能かつスライド可能に挿入される構成としている。また、支持部材の支持片には、長ボルトを挿入するための支持孔が形成されており、六角ナットを支持孔の位置に合わせるとともに、支持部材の外側から長ボルト（被第一締結部材）を支持孔に挿入し、六角ナットに螺合させることで、支持部材に対して桟部材が固定される構成となっている。また、六角ナットには操作部が設けられ、この操作部を持つことで、溝部の中にある六角ナットをスライドさせることを可能としている。
【先行技術文献】
【特許文献】
【０００４】
【特許文献１】特開２０１０−２６１２５７号公報
【発明の概要】
【発明が解決しようとする課題】
【０００５】
しかし、特許文献１に開示される構成を用いて施工を行う場合、長尺の桟部材の溝部内において六角ナットを移動させる必要があり、施工時間が多くかかってしまうことになる。また、操作部を有する専用の六角ナットを準備する必要があり、汎用性のある六角ナットを用いる場合と比較して製作の手間や、割高なコストが発生することになってしまう。
【０００６】
また、屋根の上といった高所において、手指を用いて小さい六角ナットを溝に挿入する細かな手作業、六角ナットをスライドさせるといった細かな手作業、さらには、ボルトにスプリングワッシャー、平ワッシャー等を組み付け、溝に挿入した六角ナットにボルトを挿入するといった細かな手作業をする際には、部品を落下させないように注意を払うなど、より慎重になる必要があり、作業者に大きな負担を強いるとともに、作業時間も多く要してしまうことになる。
【０００７】
そこで、本発明は以上の問題に鑑み、太陽エネルギー利用装置を屋根などに設置するための架台を構成する桟部材の固定構造に関連し、桟部材（架台用桟部材）を屋根に設置するための新規な技術を提案するものである。
【課題を解決するための手段】
【０００８】
本発明の解決しようとする課題は以上の如くであり、次にこの課題を解決するための手段を説明する。
【０００９】
即ち、請求項１に記載のごとく、太陽エネルギー利用装置の架台用桟部材の支持構造であって、前記架台用桟部材は、長尺部材の部材にて構成され、前記架台用桟部材の側面には、長手方向に連続する溝部が形成され、前記溝部には、前記架台用桟部材を支持する支持部材に対して止め付けるための固定部材が設けられ、前記支持部材は、前記架台用桟部材の側面部に対向する支持部と、前記支持部に設けられる貫通孔部であって、前記架台用桟部材側に設けられる固定部材を止め付けるための貫通孔部と、前記支持部に設けられる切欠部であって、前記支持部の外側から前記貫通孔部内へと通じる切欠部と、を有し、前記切欠部は、前記架台用桟部材の長手方向に形設され、前記溝部と対向するように形成されており、前記固定部材が、前記切欠部を通じることにより、前記貫通孔部内へと挿入される、太陽エネルギー利用装置の架台用桟部材の支持構造とする。
【００１０】
また、請求項２に記載のごとく、請求項１に記載の架台用桟部材の支持構造用の支持部材とする。
【００１１】
また、請求項３に記載のごとく、陽エネルギー利用装置の架台用桟部材の設置方法であって、前記架台用桟部材は、長尺部材の部材にて構成され、前記架台用桟部材の側面には、長手方向に連続する溝部が形成され、前記溝部には、前記架台用桟部材を支持する支持部材に対して止め付けるための固定部材が設けられ、前記支持部材は、前記架台用桟部材の側面部に対向する支持部と、前記支持部に設けられる貫通孔部であって、前記架台用桟部材側に設けられる固定部材を止め付けるための貫通孔部と、前記支持部に設けられる切欠部であって、前記支持部の外側から前記貫通孔部内へと通じる切欠部と、を有し、前記切欠部は、前記架台用桟部材の長手方向に形設され、前記溝部と対向するように形成されており、前記固定部材を、前記架台用桟部材に対し仮固定する工程と、前記仮固定した前記固定部材を緩める工程と、緩めた前記固定部材を前記切欠部を通じて、前記貫通孔部内へと挿入する工程と、前記貫通孔部内に挿入された前記固定部材により前記架台用桟部材を前記支持部材に対し止め付ける工程と、を有する、太陽エネルギー利用装置の架台用桟部材の設置方法とする。
【００１２】
また、請求項４に記載のごとく、請求項３に記載の太陽エネルギー利用装置の架台用桟部材の設置方法に用いる支持部材とする。
【発明の効果】
【００１３】
本発明の効果として、以下に示すような効果を奏する。
【００１４】
即ち、請求項１に記載の発明においては、
前記切欠部を通じて、固定部材を貫通孔部へと挿入するとともに、固定部材を用いて固定作業を完了することが可能となり、予め、架台用桟部材側に仮止めなどで設けられる固定部材の分解などが必要なくなる。そして、作業者においては、屋根の上などの高所作業においても、部品落下に注意を払わずに作業を行うことができ、作業負担を軽くすることができ、また、短時間で作業を完了することができる。
【００１５】
また、請求項２に記載の発明においては、
架台用桟部材側に形成される溝部に対し、前記切欠部を対向させることが可能となり、溝部に設ける固定部材をスライドさせて貫通孔部内へと挿入するといったことが可能となる。
【００１６】
また、請求項３に記載の発明においては、
前記切欠部を通じて、固定部材を貫通孔部へと挿入するとともに、固定部材を用いて固定作業を完了することが可能となり、予め、架台用桟部材側に仮止めなどで設けられる固定部材の分解などが必要なくなる。そして、作業者においては、屋根の上などの高所作業においても、部品落下に注意を払わずに作業を行うことができ、作業負担を軽くすることができ、また、短時間で作業を完了することができる。
【００１７】
また、請求項４に記載の発明においては、架台用桟部材側に形成される溝部に対し、前記切欠部を対向させることが可能となり、溝部に設ける固定部材をスライドさせて貫通孔部内へと挿入するといったことが可能となる。
【図面の簡単な説明】
【００１８】
【図１】本発明の一実施形態の全体概要を示す図。
【図２】設置後における支持部材と、縦桟部材と、横桟部材の状態について示す図。
【図３】（ａ）は、軒側における太陽電池パネルの納まりについて示す図。（ｂ）は、棟側における太陽電池パネルの納まりについて示す図。
【図４】（ａ）は、支持部材と縦桟部材の構成について示す斜視図。（ｂ）は、支持部材に縦桟部材を固定した状態について示す斜視図。
【図５】支持部材に縦桟部材を固定した状態について示す断面図。
【図６】（ａ）は、支持部材について反対側から切欠部を形成する例について示す図。（ｂ）は、支持部材について二つの貫通孔部と切欠部を設ける構成について示す図。（ｃ）は、支持部材について階段状の切欠部を設ける構成について示す図。（ｄ）は、支持部材について貫通孔部の上下中途部に通じる切欠部を設ける構成について示す図。（ｅ）は、支持部材について分岐する孔部を設ける構成について示す図。
【図７】（ａ）は、支持部材の他の実施例について示す図。（ｂ）は、支持部材について二つの固定用脚部を設けた実施例について示す図。（ｃ）は、支持部材について一つの固定用脚部を設けた実施例について示す図。
【図８】縦桟部材の施工について説明する図。
【発明を実施するための形態】
【００１９】
図１は、本発明の一実施形態の全体概要を示すものである。
図１に示すごとく、本発明は、屋根１の上に太陽エネルギー利用装置２が設置されるものなどについて適用されるものであり、実施形態として、複数の太陽電池パネル３・３・・・が配置されるものとしている。
また、屋根１に向かって奥行き方向を長手方向として配置される縦桟部材１０や、屋根１に向かって横方向を長手方向として配置される横桟部材２０などから架台４が構成され、この架台４に対し太陽電池パネル３・３・・・が載置固定されるものとしている。
なお、屋根の上に設置される太陽エネルギー利用装置としては、太陽電池パネルのほかにも、太陽光、太陽熱を利用する各種装置（例えば太陽熱温水器など）が想定される。
【００２０】
また、図１に示すごとく、縦桟部材１０・１０は互いに間隔を開けて複数本が配置され、また、横桟部材２０・２０も互いに間隔を開けて複数本が配置される。そして、各縦桟部材１０と横桟部材２０は、互いに直交するように配置され、井桁状の架台４が構成されることとなっている。また、屋根１の屋根材の複数箇所には支持部材３０・３０が設置され、この支持部材３０・３０に対して縦桟部材１０が固定され、この縦桟部材１０の上に横桟部材２０が固定されることとなっている。
【００２１】
また、図２は、設置後における支持部材３０と、縦桟部材１０と、横桟部材２０の状態について示すものである。屋根材１Ａの上には、ボルトなど締結部材により、支持部材３０が固定される。また、支持部材３０には、ボルトなどの締結部材により、縦桟部材１０が固定される。また、縦桟部材１０の上面には、横桟部材２０が載置されるとともに、横桟部材２０が固定用部材７１・７２により縦桟部材１０に固定される。また、横桟部材２０には、太陽電池パネル３・３の端部下側が載置される。また、横桟部材２０の上部には、キャップ材８０が取付けられ、図における左側の太陽電池パネル３の端部上側は、キャップ材８０によって押さえ込まれる。また、図における右側の太陽電池パネル３の端部上側は、横桟部材２０に設けた押さえ片部８１によって押さえ込まれる。以上のようにして、横桟部材２０に対する太陽電池パネル３・３の固定がなされる。
【００２２】
また、図２に示すごとく、横桟部材２０には、太陽電池パネル３の端部が差し込まれ得る溝部２５であって、側方が開放される略コ字状の溝部２５が形成されるようになっている。これにより、太陽電池パネル３を設置する際には、太陽電池パネル３を傾けた状態で太陽電池パネル３の端部を溝部２５に挿入するとともに、横面部２０ｅに仮置きしたのち、太陽電池パネル３を倒すことによって太陽電池パネル３を設置することが可能となっている。なお、この実施形態では、押さえ片部８１と横面部２０ｅの間に、溝部２５が形成されることとなっている。
【００２３】
なお、図１及び図２に示す実施形態のほか、支持部材３０・３０に横桟部材２０が固定され、この横桟部材２０の上に縦桟部材１０が固定されることとしてもよい。また、実施形態の説明において、「縦」「横」の用語は、位置関係の理解をし易いために便宜的に用いるものであり、発明の範囲を限定するものではない。また、屋根１については、勾配を有する傾斜屋根とするほか、勾配を有しない平坦な屋根や、円弧状をなす屋根など、あらゆる態様の屋根が想定されるものである。また、支持部材３０については、屋根材１Ａの上に固定されるほか、他の金具や、架台、さらには、コンクリート表面など、他の部位に固定されることも想定される。
【００２４】
また、図２は、縦桟部材１０の長手方向中途部の箇所における横桟部材２０の部位について示すものであるが、図３（ａ）に示すように、軒側においても（傾斜屋根の場合）、図２に示される横桟部材２０と同様の構成とする横桟部材９１を使用することにより、軒側における太陽電池パネル３の固定を実現することができる。この横桟部材９１は、傾斜面９１ａを有する構成として水切りを行いやすくする構成としている。また、同様に、図３（ｂ）に示すように、棟側においては（傾斜屋根の場合）、図２に示される横桟部材２０と共通のものを使用するとともに、化粧材９２を併用することで、棟側における太陽電池パネル３の固定を実現することができる。このように、縦桟部材１０の長手方向における各部位において、各部位に適した横桟部材の実施形態とすることが可能である。
【００２５】
次に支持部材に関する構成について説明する。
図４（ａ）は支持部材３０と縦桟部材１０の構成について示す斜視図、図４（ｂ）は支持部材３０に縦桟部材１０を固定した状態について示す斜視図、図５は支持部材３０に縦桟部材１０を固定した状態について示す断面図である。
図４（ａ）（ｂ）及び図５に示すごとく、縦桟部材１０は押し出し成型品などからなる中空の部材であり、断面視において、側面部１０ａ・１０ｂ、上面部１０ｃを有する略門形状の部材として構成されている。
【００２６】
また、図４（ａ）（ｂ）及び図５に示すごとく、側面部１０ａには、外側横方向に向けて開放される凹状の溝部１１ａが形成されている。この溝部１１ａは、支持部材３０の長手方向において連続的に形成されており、支持部材３０の長手方向の端部において開放される。そして、この開放部を通じ、溝部１１ａに対して第一締結部材としてのボルト４０のボルト頭４０ａ（図５）が挿入できるようになっており、ボルト頭４０ａ（図５）を溝部１１ａに挿入した状態においては、溝部１１ａの開放部からボルト軸部４０ｂが外側横方向に向けて突出されるようになっている。
【００２７】
また、図５に示すごとく、溝部１１ａは、その天面部１１ｃ、底面部１１ｄにおいて、六角状のボルト頭４０ａの二面に当接し得るように構成されており、これにより、ボルト４０の回転が規制されるようになっている。
【００２８】
なお、図５に示すごとく、縦桟部材１０の断面は左右対称となっており、もう一方の側面部１０ｂについても、同様に、溝部１１ｂが構成され、この溝部１１ｂには、別のボルト４０のボルト頭４０ａが挿入されることとなっている。
【００２９】
また、図４（ａ）（ｂ）及び図５に示すごとく、支持部材３０は、板金加工された板材などで構成される部材であり、間隔を開けて立設される支持部３０ａ・３０ｂと、両端部において支持部３０ａ・３０ｂが立ち上げられる底面部３０ｃと、を有して構成され、上側が開放される略コ字状の断面を形成するようになっている。また、底面部３０ｃは、図示せぬ屋根材側に固定されることとなっている。
【００３０】
また、図４（ａ）及び図５に示すごとく、支持部材３０の支持部３０ａ・３０ｂの間隔は、上側から縦桟部材１０が挿入され得るように確保され、縦桟部材１０が支持部３０ａ・３０ｂの間に挿入された状態において、縦桟部材１０の側面部１０ａ・１０ｂが、支持部材３０の支持部３０ａ・３０ｂにそれぞれ対向するように配置されるようになっている。
【００３１】
また、図４（ａ）及び図５に示すごとく、支持部材３０の支持部３０ａ・３０ｂには、支持部３０ａ・３０ｂの板厚方向を貫通する貫通孔部３１ａ・３１ｂがそれぞれ形設されている。また、支持部材３０の支持部３０ａ・３０ｂには、支持部３０ａ・３０ｂの外側から、貫通孔部３１ａ・３１ｂ内へと通じる切欠部３２ａ・３２ｂがそれぞれ形設されている。図の例では、切欠部３２ａ・３２ｂは、縦桟部材１０の長手方向に形設され、溝部１１ａと対向するように形成されている。
【００３２】
そして、図４（ａ）（ｂ）及び図５に示すごとく、この切欠部３２ａ・３２ｂを通じて、縦桟部材１０の長手方向からボルト軸部４０ｂ・４０ｂを貫通孔部３１ａ・３１ｂ内へと挿入することができる。つまりは、ボルト４０を縦桟部材１０（溝部１１ａ）に対してスライドさせることで、軸部４０ｂ・４０ｂを貫通孔部３１ａ・３１ｂ内へと入れることが可能となる。そして、貫通孔部３１ａ・３１ｂに挿入されたボルト４０軸部４０ｂ・４０ｂは、内側（側面部１０ａ・１０ｂの側）から外側（側面部１０ａ・１０ｂの反対側）へと突出される。
【００３３】
また、図４（ａ）（ｂ）及び図５に示すごとく、支持部３０ａ・３０ｂから突出したボルト軸部４０ｂに対し、ワッシャ４１を介して第二締結部材としてのナット４２を締結することにより、縦桟部材１０の側面部１０ａ・１０ｂが、それぞれ、支持部材３０の側面部１０ａ・１０ｂに対して固定される。
【００３４】
また、図４（ａ）（ｂ）及び図５に示すごとく、支持部材３０の貫通孔部３１ａ・３１ｂは上下方向に長い長孔形状とすることにより、支持部材３０に対するボルト軸部４０ｂ・４０ｂの上下位置の調整が許容されることとしている。これは、縦桟部材１０は、その長手方向における複数の箇所において支持部材３０に対して固定されることとなるが、支持部材３０の設置状況によっては、縦桟部材１０を大きく撓ませた上で固定する必要が生じることが懸念されるためである。この懸念に対し、貫通孔部３１ａ・３１ｂを長孔形状とすることで、縦桟部材１０の支持部材３０に対する固定の位置を調整することが可能となり、縦桟部材１０を大きく撓ませることなく、支持部材３０に固定することが可能となる。
【００３５】
また、図４（ａ）に示す支持部材３０の支持部３０ａに形成する貫通孔部３１ａや切欠部３２ａについては、図４（ｂ）の形態のほか、図６（ａ）〜（ｄ）に示されるような形態も考えられる。
図６（ａ）に示す支持部材３０Ａでは、図４（ｂ）に示す切欠部３２ａとは反対側方向から、貫通孔部３１ｄに通じる切欠部３２ｃを形成する例である。また、図６（ｂ）に示す支持部材３０Ｂは、二つの貫通孔部３１ｅ・３１ｆを設け、それぞれに通じる切欠部３２ｅ・３２ｆを形成する例である。また、図６（ｃ）に示す支持部材３０Ｃは、上方から階段状に貫通孔部３１ｇへとつながる切欠部３２ｇを形成する例である。また、図６（ｄ）に示す支持部材３０Ｄのように、貫通孔部３１ｈの上下方向の中途部に通じる切欠部３２ｈを形成し、切欠部３２ｈに対して上下のいずれの方向において調整が可能とすることとしてもよい。このように、貫通孔部や切欠部の実施形態については、さまざまなものが採用され得る。
【００３６】
また、図４（ａ）及び図５に示す構成における第一締結部材（ボルト４０）と第二締結部材（ナット４２）の関係は、逆であってもよい。即ち、ナット４２が溝部１１ａに収容され、ボルト４０のボルト頭４０ａが支持部材３０の支持部３０ａの外側に配置される構成とするものである。
【００３７】
さらに、図４（ａ）に示される支持部材３０の構成については、図７（ａ）〜（ｃ）に示す形態とすることも考えられる。図７（ａ）では、縦桟部材方向における長さをより小さくした構成した支持部材３０Ｌとするものである。図７（ｂ）では、間隔を開けて対向する固定用脚部３０ｍ・３０ｍを下方に向けて設けた支持部材３０Ｍとすることで、図示せぬ他の金具などに支持部材３０Ｍを固定する場合に採用し得る形態とするものである。図７（ｃ）では、一つの固定用脚部３０ｎを設けた支持部材３０Ｎとすることで、図示せぬ他の金具などに支持部材３０Ｎを固定する場合に採用し得る形態とするものである。
【００３８】
そして、以上の構成を採用することにより、作業性に優れた施工を行うことが可能となる。
施工の際には、図４（ａ）、図５、及び、図８に示すごとく、ボルト４０、ワッシャ４１、ナット４２を組み付けてなる締結用仕組４３を準備し、ボルト４０のボルト頭４０ａを縦桟部材１０の溝部１１ａに挿入する。この締結用仕組４３の準備や、縦桟部材１０へ締結用仕組４３の取り付けは、地上において行うことができる。また、縦桟部材１０を複数箇所において支持部材３０にて支持させる場合には、支持部材３０の数に応じた締結用仕組４３を準備するとともに、縦桟部材１０の長手方向の複数箇所に締結用仕組４３を配置させる。また、配置させた状態において、ナット４２を仮止めすることで、締結用仕組４３が仮固定され、締結用仕組４３の移動が規制されるようにしておく。
【００３９】
以上の作業は縦桟部材１０の組立て作業であり、この一連の作業は、地上において行うことができ、屋根上での高所作業でないことから、部品を落下させないように注意を払うといったことがなく、作業負担を軽くすることができ、また、短時間で作業を完了することができる。なお、締結用仕組４３の仮固定の位置については、後工程における締結用仕組４３の移動量を少なくするために、支持部材３０の配置に合わせて行うことが好ましい。
【００４０】
また、図４（ａ）、図５、及び、図８に示すごとく、屋根１においては、支持部材３０・３０を所定の位置に設置した状態とし、この支持部材３０・３０に対して縦桟部材１０を載置する。次に、各締結用仕組４３について、それぞれ、仮止めされていたナット４２を緩め、締結用仕組４３をスライドさせることで、ボルト軸部４０ｂを切欠部３２ａから貫通孔部３１ａ内へと挿入する。そして、挿入後において、ナット４２をしっかりと固定することで、支持部材３０に対する縦桟部材１０の固定を行うことができる。
【００４１】
以上の作業は縦桟部材１０の支持部材３０への固定作業となるが、その内容は、仮止めされたナット４２を緩め、締結用仕組４３を移動し、再度ナット４２を締結する、といった単純な作業となるため、容易に行うことが可能である。また、締結用仕組４３のボルト頭４０ａが、予め溝部１１ａに挿入されており、また、ナット４２は緩めるだけで取り外しは行わないため、各部品が落下する恐れがない。このため、作業者においては、部品落下に注意を払わずに作業を行うことができ、作業負担を軽くすることができ、また、短時間で作業を完了することができる。
【００４２】
以上が本発明の実施形態であり、本発明を以下の内容とすることができる。
図４（ａ）（ｂ）、及び、図５に示すごとく、
装置を設置する架台を構成する架台用桟部材としての縦桟部材１０の支持部材３０であって、
前記架台用桟部材の側面部１０ａ・１０ｂに対向する支持部３０ａ・３０ｂと、
前記支持部３０ａ・３０ｂに設けられる貫通孔部３１ａ・３１ｂであって、
前記架台用桟部材側に設けられる固定部材としての締結用仕組４３を止め付けるための貫通孔部３１ａ・３１ｂと、
前記支持部３０ａ・３０ｂに設けられる切欠部３２ａ・３２ｂであって、
前記支持部３０ａ・３０ｂの外側から前記貫通孔部３１ａ・３１ｂ内へと通じる切欠部３２ａ・３２ｂと、
を有する支持部材３０、とするものである。
【００４３】
これにより、図４（ｂ）に示すごとく、前記切欠部３２ａ・３２ｂを通じて、固定部材（締結用仕組４３）を貫通孔部３１ａ・３１ｂへと挿入するとともに、固定部材を用いて固定作業を完了することが可能となり、予め、架台用桟部材側に仮止めなどで設けられる固定部材（締結用仕組４３）の分解などが必要なくなる。そして、作業者においては、屋根の上などの高所作業においても、部品落下に注意を払わずに作業を行うことができ、作業負担を軽くすることができ、また、短時間で作業を完了することができる。
【００４４】
また、図４（ａ）（ｂ）、及び、図５に示すごとく、
前記支持部材３０の支持部３０ａ・３０ｂは、間隔を開けて立設される二つの板状の部材にて構成され、
前記支持部３０ａ・３０ｂの間に、前記架台用桟部材が挿入され得る、
構成とするものである。
【００４５】
これにより、図５に示すごとく、架台用桟部材側に形成される溝部１１ａに対し、前記切欠部３２ａ・３２ｂを対向させることが可能となり、溝部１１ａに設ける固定部材をスライドさせて貫通孔部３１ａ・３１ｂ内へと挿入するといったことが可能となる。
【００４６】
また、図４及び図８に示すごとく、
太陽エネルギー利用装置の架台用桟部材の支持構造であって、
前記架台用桟部材としての縦桟部材１０は、長尺部材の部材にて構成され、
前記架台用桟部材の側面には、長手方向に連続する溝部１１ａが形成され、
前記溝部１１ａには、前記架台用桟部材を支持する支持部材３０に対して止め付けるための固定部材としての締結用仕組４３が設けられ、
前記支持部材３０は、
前記架台用桟部材の側面部１０ａ・１０ｂに対向する支持部３０ａ・３０ｂと、
前記支持部３０ａ・３０ｂに設けられる貫通孔部３１ａ・３１ｂであって、
前記架台用桟部材側に設けられる固定部材としての締結用仕組４３を止め付けるための貫通孔部３１ａ・３１ｂと、
前記支持部３０ａ・３０ｂに設けられる切欠部３２ａ・３２ｂであって、
前記支持部３０ａ・３０ｂの外側から前記貫通孔部３１ａ・３１ｂ内へと通じる切欠部３２ａ・３２ｂと、
を有し、
前記固定部材としての締結用仕組４３が、
前記切欠部３２ａ・３２ｂを通じることにより、前記貫通孔部３１ａ・３１ｂ内へと挿入される、
太陽エネルギー利用装置の架台用桟部材の支持構造、とするものである。
【００４７】
これにより、図４（ｂ）に示すごとく、前記切欠部３２ａ・３２ｂを通じて、固定部材（締結用仕組４３）を貫通孔部３１ａ・３１ｂへと挿入するとともに、固定部材を用いて固定作業を完了することが可能となり、予め、架台用桟部材側に仮止めなどで設けられる固定部材（締結用仕組４３）の分解などが必要なくなる。そして、作業者においては、屋根の上などの高所作業においても、部品落下に注意を払わずに作業を行うことができ、作業負担を軽くすることができ、また、短時間で作業を完了することができる。
【００４８】
また、図４及び図８に示すごとく、
太陽エネルギー利用装置の架台用桟部材の設置方法であって、
前記架台用桟部材としての縦桟部材１０は、長尺部材の部材にて構成され、
前記架台用桟部材の側面には、長手方向に連続する溝部１１ａが形成され、
前記溝部１１ａには、前記架台用桟部材を支持する支持部材３０に対して止め付けるための固定部材としての締結用仕組４３が設けられ、
前記支持部材３０は、
前記架台用桟部材の側面部１０ａ・１０ｂに対向する支持部３０ａ・３０ｂと、
前記支持部３０ａ・３０ｂに設けられる貫通孔部３１ａ・３１ｂであって、
前記架台用桟部材側に設けられる固定部材としての締結用仕組４３を止め付けるための貫通孔部３１ａ・３１ｂと、
前記支持部３０ａ・３０ｂに設けられる切欠部３２ａ・３２ｂであって、
前記支持部３０ａ・３０ｂの外側から前記貫通孔部３１ａ・３１ｂ内へと通じる切欠部３２ａ・３２ｂと、
を有し、
前記固定部材としての締結用仕組４３を、前記架台用桟部材に対し仮固定する工程と、
前記仮固定した前記固定部材を緩める工程と、
緩めた前記固定部材を前記切欠部３２ａ・３２ｂを通じて、前記貫通孔部３１ａ・３１ｂ内へと挿入する工程と、
前記貫通孔部３１ａ・３１ｂ内に挿入された前記固定部材により前記架台用桟部材を前記支持部材３０に対し止め付ける工程と、
を有する、太陽エネルギー利用装置の架台用桟部材の設置方法、とするものである。
【００４９】
これにより、図４（ｂ）に示すごとく、前記切欠部３２ａ・３２ｂを通じて、固定部材（締結用仕組４３）を貫通孔部３１ａ・３１ｂへと挿入するとともに、固定部材を用いて固定作業を完了することが可能となり、予め、架台用桟部材側に仮止めなどで設けられる固定部材（締結用仕組４３）の分解などが必要なくなる。そして、作業者においては、屋根の上などの高所作業においても、部品落下に注意を払わずに作業を行うことができ、作業負担を軽くすることができ、また、短時間で作業を完了することができる。
【産業上の利用可能性】
【００５０】
本発明の構成は、建物の屋根などに設置される太陽電池パネルなどの太陽エネルギー利用装置において使用される架台について、幅広く適用することができる。
【符号の説明】
【００５１】
１    屋根
１Ａ    屋根材
２    太陽エネルギー利用装置
３    太陽電池パネル
４    架台
１０    縦桟部材
２０    横桟部材
３０    支持部材
３１ａ    貫通孔部
３２ａ    切欠部
４０    ボルト
４０ａ    ボルト頭
４０ｂ    ボルト軸部
４１    ワッシャ
４２    ナット
４３    締結用仕組
【図１】
0005687075.tif 000002
【図２】
0005687075.tif 000003
【図３】
0005687075.tif 000004
【図４】
0005687075.tif 000005
【図５】
0005687075.tif 000006
【図６】
0005687075.tif 000007
【図７】
0005687075.tif 000008
【図８】
0005687075.tif 000009